(57)【要約】【課題】  物品の再チェック、使用者が身に着けている物品のみの検出、目的に対応するＲＦＩＤ情報をメモリに格納すること、チェックが必要な時間での物品のチェック、および装置の消費電流の低減が可能な物品認識システムおよび物品認識方法の提供。【解決手段】  物品に取り付けられたＲＦＩＤ情報１１〜１３を第１の場所の検出器１５で読み取り、記憶部１６に予め格納されたＲＦＩＤ情報と比較し、一致すれば表示器１７に「 携」 を表示し、不一致ならば「未」を表示する。次いで、第２の場所の検出器２０で再度物品に取り付けられたＲＦＩＤ情報１１〜１３を読み取り、記憶部１６に予め格納されたＲＦＩＤ情報と比較し、一致すれば表示器２１に「 携」 を表示し、不一致ならば「未」を表示する。【選択図】      図１
2006092051.tif 000002
【特許請求の範囲】
【請求項１】
物品に取り付ける認識札と、前記認識札の情報を検出する検出手段と、複数の認識札の情報が格納される記憶手段と、前記検出手段で検出された認識札の情報と前記記憶手段に格納された認識札の情報とを比較する比較手段と、前記比較手段での比較結果が表示される表示手段とを含む物品認識システムであって、
前記検出手段は複数個所に設けられることを特徴とする物品認識システム。
【請求項２】
前記検出手段は同一屋内の複数個所に設けられることを特徴とする請求項１記載の物品認識システム。
【請求項３】
前記検出手段の一方は屋内に設けられ、他方は携帯端末内に設けられることを特徴とする請求項１記載の物品認識システム。
【請求項４】
前記記憶手段は前記屋内と前記携帯端末内とに別個に設けられることを特徴とする請求項３記載の物品認識システム。
【請求項５】
前記屋内の記憶手段と前記携帯端末内の記憶手段は通信網を介して接続されることを特徴とする請求項４記載の物品認識システム。
【請求項６】
前記携帯端末は携帯電話であり、前記携帯端末内の前記検出手段は接続基地局の変更を契機として前記認識札の情報の検出を開始することを特徴とする請求項３から５いずれかに記載の物品認識システム。
【請求項７】
前記携帯端末は無線ＬＡＮ用であり、前記携帯端末内の前記検出手段は無線ＬＡＮ圏内に入ったことあるいは圏外に出たことを契機として前記認識札の情報の検出を開始することを特徴とする請求項３から５いずれかに記載の物品認識システム。
【請求項８】
前記携帯端末は加速度検出手段を含み、前記携帯端末内の前記検出手段は前記加速度検出手段にて加速度が検出されたのを契機として前記認識札の情報の検出を開始することを特徴とする請求項３から５いずれかに記載の物品認識システム。
【請求項９】
前記加速度検出手段は歩数計であることを特徴とする請求項８記載の物品認識システム。
【請求項１０】
前記検出手段の一方は屋内に設けられ、他方は歩数計内に設けられ、前記歩数計内の検出手段は前記歩数計が計数を開始したのを契機として前記認識札の情報の検出を開始することを特徴とする請求項１記載の物品認識システム。
【請求項１１】
前記歩数計は携帯端末と通信する通信手段を含むことを特徴とする請求項１０記載の物品認識システム。
【請求項１２】
前記携帯端末は前記屋内の記憶手段に格納された複数の認識札の情報を取得する情報取得手段と、前記通信手段を介して得た前記歩数計内検出手段の認識札の情報と前記情報取得手段により得た情報とを比較する第２の比較手段とを含むことを特徴とする請求項１１記載の物品認識システム。
【請求項１３】
前記記憶手段に格納される複数の認識札の情報は目的別に分類されることを特徴とする請求項１から１２いずれかに記載の物品認識システム。
【請求項１４】
前記認識札の情報を検出するに先立ち、特定の目的の認識札の情報が前記複数の認識札の情報の中から選択されることを特徴とする請求項１３記載の物品認識システム。
【請求項１５】
検出された前記認識札の情報をキーとしてどの目的に属するかが推定されることを特徴とする請求項１３記載の物品認識システム。
【請求項１６】
前記認識札の情報のうちの一部が前記比較手段における比較に用いられることを特徴とする請求項１から１５いずれかに記載の物品認識システム。
【請求項１７】
ある箇所において検出された前記認識札の情報と、他の箇所において検出された前記認識札の情報とを比較する第３の比較手段を含むことを特徴とする請求項１記載の物品認識システム。
【請求項１８】
物品に取り付ける認識札と、前記認識札の情報を検出する検出手段と、複数の認識札の情報が格納される記憶手段と、前記検出手段で検出された認識札の情報と前記記憶手段に格納された認識札の情報とを比較する比較手段と、前記比較手段での比較結果が表示される表示手段とを含む物品認識システムにおける物品認識方法であって、
前記検出手段は複数個所にて前記認識札の情報を検出する検出ステップを含むことを特徴とする物品認識方法。
【請求項１９】
前記検出手段は同一屋内の複数個所に設けられることを特徴とする請求項１８記載の物品認識方法。
【請求項２０】
前記検出手段の一方は屋内に設けられ、他方は携帯端末内に設けられることを特徴とする請求項１８記載の物品認識方法。
【請求項２１】
前記記憶手段は前記屋内と前記携帯端末内とに別個に設けられることを特徴とする請求項２０記載の物品認識方法。
【請求項２２】
前記屋内の記憶手段と前記携帯端末内の記憶手段は通信網を介して接続されることを特徴とする請求項２１記載の物品認識方法。
【請求項２３】
前記携帯端末は携帯電話であり、前記携帯端末内の前記検出手段は接続基地局の変更を契機として前記認識札の情報の検出を開始する検出開始ステップを含むことを特徴とする請求項２０から２２いずれかに記載の物品認識方法。
【請求項２４】
前記携帯端末は無線ＬＡＮ用であり、前記携帯端末内の前記検出手段は無線ＬＡＮ圏内に入ったことあるいは圏外に出たことを契機として前記認識札の情報の検出を開始する検出開始ステップを含むことを特徴とする請求項２０から２２いずれかに記載の物品認識方法。
【請求項２５】
前記携帯端末は加速度検出手段を含み、前記携帯端末内の前記検出手段は前記加速度検出手段にて加速度が検出されたのを契機として前記認識札の情報の検出を開始する検出開始ステップを含むことを特徴とする請求項２０から２２いずれかに記載の物品認識方法。
【請求項２６】
前記加速度検出手段は歩数計であることを特徴とする請求項２５記載の物品認識方法。
【請求項２７】
前記検出手段の一方は屋内に設けられ、他方は歩数計内に設けられ、前記歩数計内の検出手段は前記歩数計が計数を開始したのを契機として前記認識札の情報の検出を開始する検出開始ステップを含むことを特徴とする請求項１８記載の物品認識方法。
【請求項２８】
前記歩数計は携帯端末と通信する通信手段を含むことを特徴とする請求項２７記載の物品認識方法。
【請求項２９】
前記携帯端末は前記屋内の記憶手段に格納された複数の認識札の情報を取得する情報取得ステップと、前記通信手段を介して得た前記歩数計内検出手段の認識札の情報と前記情報取得手段により得た情報とを比較する第2 の比較ステップとを含むことを特徴とする請求項２８記載の物品認識方法。
【請求項３０】
前記記憶手段に格納される複数の認識札の情報は目的別に分類されることを特徴とする請求項１８から２９いずれかに記載の物品認識方法。
【請求項３１】
前記認識札の情報を検出するに先立ち、特定の目的の認識札の情報が前記複数の認識札の情報の中から選択される選択ステップを含むことを特徴とする請求項３０記載の物品認識方法。
【請求項３２】
検出された前記認識札の情報をキーとしてどの目的に属するかが推定されることを特徴とする請求項３０記載の物品認識方法。
【請求項３３】
前記認識札の情報のうちの一部が前記比較手段における比較に用いられることを特徴とする請求項１８から３２いずれかに記載の物品認識方法。
【請求項３４】
ある箇所において検出された前記認識札の情報と、他の箇所において検出された前記認識札の情報とを比較する第３の比較ステップを含むことを特徴とする請求項１８記載の物品認識方法。
【発明の詳細な説明】
【技術分野】
【０００１】
本発明は、物品認識システムおよび物品認識方法に関し、特にＲＦＩＤ（radio frequency identification：電波方式認識）を用いた物品認識システムおよび物品認識方法に関する。
【背景技術】
【０００２】
アンテナとコントローラとからなるリーダライタと、情報を電子回路に記憶するＩＣタグとにより構成され、無線通信によりデータ交信する自動認識技術（ＲＦＩＤ）は知られている。このＩＣタグを以降の説明においてＲＦＩＤと表示する。
【０００３】
ＲＦＩＤは個々の固有の識別番号を持ち、形状が比較的小さくかつ簡単に種々の物品に貼付することができ、またそれ自身に電源が不要という特徴を有する。このＲＦＩＤを複数の物品に貼付し、これを所定の場所で検出することにより、そこに何が存在し、何が不足しているかを自動的に表示するのが従来の物品認識システムである。
【０００４】
一方、その他の従来技術として、メモリに記憶されたＲＦＩＤ情報と、物品に貼付されたＲＦＩＤ情報とを比較して忘れ物の有無を判定する発明（特許文献１参照）、所定時間間隔でＲＦＩＤとメモリ内の情報とを比較する発明（特許文献2 および3 参照）、および振動を検出することにより容易に歩数の確認が可能な発明が開示されている（特許文献４参照）。
【０００５】
【特許文献１】特開２００４−７８３１９号公報（段落００２５、００２６、図５）
【特許文献２】特開２００４−１３７８９号公報（段落００１０、図１）
【特許文献３】特許第３５３２９１２号公報（段落００２６、図１）
【特許文献４】特開２００１−２５７７４６号公報（段落００３２、図１）
【発明の開示】
【発明が解決しようとする課題】
【０００６】
しかし、特許文献１記載の発明では、屋内のある場所で物品のチェックをしたときには忘れ物はなかったが、外出時に忘れ物をしていたという事もあり得る。また、ＲＦＩＤ情報は電波で検出されるため、使用者が身に着けている物品のみならず、付近に存在する物品まで検出してしまうおそれがある。さらに外出の目的によっては持ち物が変わる場合があり、その場合はメモリ内のＲＦＩＤ情報の取捨選択をしなければならず、変動対応力に欠ける欠点がある。
【０００７】
これに対し、特許文献2 および３に所定時間間隔でＲＦＩＤとメモリ内の情報とを比較する発明が開示されているが、所定時間間隔でのチェックでは必ずしもチェックが必要な時間にチェックされるとは限らず、また装置の消費電流も増大するという欠点がある。
【０００８】
また、特許文献４に振動を検出することにより容易に歩数の確認が可能な発明が開示されているが、これは使用者が容易に歩数の確認ができるように構成されたものであり、本発明とは目的、構成、作用、効果のいずれもが全く相違する。
【０００９】
そこで本発明の目的は、物品の再チェック、使用者が身に着けている物品のみの検出、目的に対応するＲＦＩＤ情報をメモリに格納すること、チェックが必要な時間での物品のチェック、および装置の消費電流の低減が可能な物品認識システムおよび物品認識方法を提供することにある。
【課題を解決するための手段】
【００１０】
前記課題を解決するために本発明による物品認識システムは、物品に取り付ける認識札と、前記認識札の情報を検出する検出手段と、複数の認識札の情報が格納される記憶手段と、前記検出手段で検出された認識札の情報と前記記憶手段に格納された認識札の情報とを比較する比較手段と、前記比較手段での比較結果が表示される表示手段とを含む物品認識システムであって、前記検出手段は複数個所に設けられることを特徴とする。
【００１１】
また、本発明による物品認識方法は、物品に取り付ける認識札と、前記認識札の情報を検出する検出手段と、複数の認識札の情報が格納される記憶手段と、前記検出手段で検出された認識札の情報と前記記憶手段に格納された認識札の情報とを比較する比較手段と、前記比較手段での比較結果が表示される表示手段とを含む物品認識システムにおける物品認識方法であって、前記検出手段は複数個所にて前記認識札の情報を検出する検出ステップを含むことを特徴とする。
【００１２】
本発明によれば、複数個所でＲＦＩＤの検出および比較が行われる。また、記憶手段には目的別に認識札の情報が格納される。
【発明の効果】
【００１３】
本発明によれば、複数個所でＲＦＩＤの検出および比較を行い、かつ記憶手段に用途別の認識札の情報を格納することにより、物品の再チェック、使用者が身に着けている物品のみの検出、目的に対応するＲＦＩＤ情報をメモリに格納すること、チェックが必要な時間での物品のチェック、および装置の消費電流の低減が可能となる。
【発明を実施するための最良の形態】
【００１４】
以下、本発明の実施例について添付図面を参照しながら説明する。
【実施例１】
【００１５】
図１は本発明に係る物品認識システムの第１実施例の構成図である。同図を参照すると、物品認識システム１は、認識札（以下、ＲＦＩＤ情報と表示する）１１〜１３と、アンテナ（ＡＮＴ）１４と、検出器（ＤＥＴ）１５と、記憶部（ＭＥＭ）１６と、表示器１７と、警報器１８と、アンテナ（ＡＮＴ）１９と、検出器（ＤＥＴ）２０と、表示器２１と、警報器２２と、制御部（ＣＯＮＴ）２３とを含んで構成される。
【００１６】
また、一例としてＲＦＩＤ情報１１は免許証２４に、ＲＦＩＤ情報１２は鍵２５に、ＲＦＩＤ情報１３はその他の持ち物２６にそれぞれ取り付けられているものとする。
【００１７】
アンテナ１４と、検出器１５と、表示器１７と、警報器１８は同一屋内の第１の場所に設けられる。アンテナ１９と、検出器２０と、表示器２１と、警報器２２は同一屋内の第２の場所に設けられる。また、記憶部１６と制御部２３は同一屋内の第１あるいは第２の場所もしくはこれらと異なる第３の場所に設けられる。
【００１８】
第１の場所において、制御部２３によりアンテナ１４および検出器１５を介してＲＦＩＤ情報１１〜１３が検出され、記憶部１６に予め格納されたＲＦＩＤ情報とそのＲＦＩＤ情報１１〜１３とが比較され、比較結果が表示器１７に表示される。また、比較結果に応じた警報が警報器１８により出力される。
【００１９】
また第２の場所において、制御部２３によりアンテナ１９および検出器２０を介してＲＦＩＤ情報１１〜１３が検出され、記憶部１６に予め格納されたＲＦＩＤ情報とそのＲＦＩＤ情報１１〜１３とが比較され、比較結果が表示器２１に表示される。また、比較結果に応じた警報が警報器２２により出力される。
【００２０】
図２は表示器１７，２１の表示内容の一例を示す図である。同図を参照すると１行目に使用者（Ａ）３１、使用者（Ｂ）３２、使用者（Ｃ）３３の名前が表示され、２行目に携／未３４、免許証３５、３行目に携／未３６、鍵（家）３７、４行目に携／未３８、鍵（車）３９、５行目に携／未４０、鞄４１がそれぞれ表示されている。
【００２１】
使用者（Ａ）３１、使用者（Ｂ）３２、使用者（Ｃ）３３は物品認識を受ける人を表示し、携／未３４，３６，４０はその右側に表示されているものを携帯しているときは「携」が、携帯していないときは「未」がそれぞれ点灯するよう構成されている。また、表示器１７，２１に表示される物品名はその使用者が物品認識を受ける時点で所持すべきもののみが表示される。
【００２２】
図３は記憶部１６に格納されるＲＦＩＤ情報の一例を示す図である。同図に示すようにＲＦＩＤ情報は目的別に分類されている。すなわち、常時携帯するものの一例として、自宅の鍵、携帯電話、財布およびクレジットカードのＲＦＩＤ情報が「常時携帯」の層に、定期券、会社の鍵（机およびロッカー）、入門証（身分証、ＩＤカード）のＲＦＩＤ情報が「特殊の１」の層に、運転免許証、車の鍵、サングラスのＲＦＩＤ情報が「特殊の２」の層に、スポーツクラブの会員証、ロッカーの鍵、スポーツバッグ（用品を入れる鞄等）のＲＦＩＤ情報が「特殊の３」の層にそれぞれ分類されている。
【００２３】
なお、後述するが、目的とする層が手動または自動で選択される。
【００２４】
また、ＲＦＩＤ情報を目的別ではなく、たとえば、曜日別あるいは時間帯別に分類することも可能である。曜日別あるいは時間帯別に持ち物が変わる場合に対応させたものである。目的別よりも細分化された分類が可能となる。
【００２５】
図４は同一屋内の２箇所に検出装置を設ける場合の一例の構成図である。同図を参照すると家屋５１のクローゼット５２に第１検出装置５３が設けられ、玄関に面した靴箱５４に第２検出装置５５が設けられている。
【００２６】
第1 検出装置５３はアンテナ１４と、検出器１５と、記憶部１６と、表示器１７と、警報器１８と、制御部２３とを含んでおり、これらのうち、記憶部１６と、表示器１７と、警報器１８と、制御部２３とはパーソナルコンピュータ（以下、パソコンと表示する）に含まれる。
【００２７】
第２検出装置５３はアンテナ１９と、検出器２０と、表示器２１と、警報器２２とを含んでいる。
【００２８】
使用者はまずクローゼット５２で身支度し、その際に持ち物のＲＦＩＤ情報のチェックを行い、次に玄関を出る際に再度持ち物のＲＦＩＤ情報のチェックを行う。
【００２９】
図５は同一屋内の２箇所に検出装置を設ける場合の他の例の構成図である。同図を参照すると会社６１の机６２に第１検出装置６３が設けられ、ロッカー６４に第２検出装置６５が設けられている。
【００３０】
第1 検出装置６３はアンテナ１４と、検出器１５と、記憶部１６と、表示器１７と、警報器１８と、制御部２３とを含んでおり、これらのうち、記憶部１６と、表示器１７と、警報器１８と、制御部２３とはパソコンに含まれる。
【００３１】
第２検出装置６５はアンテナ１９と、検出器２０と、表示器２１と、警報器２２とを含んでいる。
【００３２】
使用者はまず机６２で帰りの身支度を行い、その際に持ち物のＲＦＩＤ情報のチェックを行う。次にロッカー６４で身支度と持ち物を所持した後に再度持ち物のＲＦＩＤ情報のチェックを行う。
【００３３】
次に、第１実施例の動作について図６および図４を参照しながら説明する。図６は第１実施例の動作を示すフローチャートである。
【００３４】
なお、以下の説明は、一例として図４に示す家屋５１に第１検出装置５３および第２検出装置５５が設けられる場合について行うが、図５に示す会社６１に第１検出装置６３および第２検出装置６５が設けられる場合も同様に説明することができる。
【００３５】
まず、使用者はクローゼット５２の第１検出装置５３に設けた図示しないボタン等を介して本人の名前と、記憶部１６に格納されたＲＦＩＤ情報の層の中から目的の層を選択する( ステップＳ１) 。一例として、図３の「使用者Ａ」と「常時携帯」の層を選択したものとする。
【００３６】
次に、第１検出装置５３で所持品のＲＦＩＤ情報を読み取る（ステップＳ２) 。すなわち、アンテナ１４を介して検出器１５により所持品のＲＦＩＤ情報が読み取られる。
【００３７】
次に、制御部２３により検出器１５で読み取ったＲＦＩＤ情報と記憶部１６に格納されたＲＦＩＤ情報とが比較される( ステップＳ３) 。
【００３８】
次に、制御部２３により比較結果が表示器１７に表示され、必要に応じて警報器１８が駆動される( ステップＳ４) 。一例として、「常時携帯」の層の自宅の鍵、携帯電話、財布、クレジットカードの全てが検出された場合は、表示器１７のこれらに対応する「携／未」表示の「携」が一例として青色に点灯し、警報器１８から一例として連続音が発せられる。
【００３９】
一方、検出されない物品が存在する場合、すなわち忘れ物が存在する場合はその物品に対応する「携／未」表示の「未」が一例として赤色に点滅し、警報器１８から一例として断続音が発せられ、使用者に注意を喚起する。
【００４０】
次に、ステップＳ２〜Ｓ４と同様の動作が以下実行される。まず、第２検出装置５５で所持品のＲＦＩＤ情報を読み取る（ステップＳ５) 。すなわち、アンテナ１９を介して検出器２０により所持品のＲＦＩＤ情報が読み取られる。
【００４１】
次に、制御部２３により検出器２０で読み取ったＲＦＩＤ情報と記憶部１６に格納されたＲＦＩＤ情報とが比較される( ステップＳ６) 。
【００４２】
次に、制御部２３により比較結果が表示器２１に表示され、必要に応じて警報器２２が駆動される( ステップＳ７) 。一例として、「常時携帯」の層の自宅の鍵、携帯電話、財布、クレジットカードの全てが検出された場合は、表示器２１のこれらに対応する「携／未」表示の「携」が一例として青色に点灯し、警報器２２から一例として連続音が発せられる。
【００４３】
一方、検出されない物品が存在する場合、すなわち忘れ物が存在する場合はその物品に対応する「携／未」表示の「未」が一例として赤色に点滅し、警報器２２から一例として断続音が発せられ、使用者に再度の注意を喚起する。
【００４４】
このように、２度チェックを行うことにより、所持物品の抜けを防止することが可能となる。
【実施例２】
【００４５】
図７は本発明の第２実施例の構成図である。第２実施例は第１検出装置が屋内に設けられ、第２検出装置が携帯端末内に設けられる場合を示している。
【００４６】
同図を参照すると、屋内７１に第１検出装置７２が設けられ、携帯端末７３に第２検出装置７４が設けられる。また、第１検出装置７２は伝送線路７５、加入電話網７６、伝送線路７７、携帯電話網７８、基地局７９−１〜７９−ｎ（ｎは正の整数）およびアンテナ８０−１〜８０−ｎを介して第２検出装置７４と無線接続される。
【００４７】
すなわち、１回目の物品認識は屋内７１で行われるが、２回目の物品認識は携帯端末を用いて屋外で行われる構成である。
【００４８】
次に屋内７１に設けられる第１検出装置７２の構成について説明する。図８は第１検出装置の一例の構成図である。なお、図１と同様の構成部分には同一番号を付し、その説明を省略する。同図を参照すると、第１検出装置７２はアンテナ１４と、検出器１５と、記憶部１６と、表示器１７と、警報器１８と、制御部２３と、送受信部８１とを含んでいる。
【００４９】
この送受信部８１は記憶部１６に格納されたＲＦＩＤ情報を携帯端末側の第２検出装置７４へ送信する機能を含んでいる。
【００５０】
次に携帯端末７３に設けられる第２検出装置７４の構成について説明する。図９は第２検出装置の一例の構成図である。なお、図１と同様の構成部分には同一番号を付し、その説明を省略する。同図を参照すると、第２検出装置７２はアンテナ１９と、検出器２０と、記憶部８２と、表示器２１と、警報器２２と、制御部( ＣＯＮＴ) ８３と、送受信部８４と、アンテナ８４とを含んでいる。
【００５１】
この送受信部８４は第１検出装置７２の記憶部１６に格納されたＲＦＩＤ情報を携帯端末側の第２検出装置７４へ取り込む機能を含んでいる。
【００５２】
次に、第２実施例の動作について説明する。図１０は第２実施例の動作を示すフローチャートである。まず、使用者は屋内７１の第１検出装置７２に設けた図示しないボタン等を介して本人の名前と、記憶部１６に格納されたＲＦＩＤ情報の層の中から目的の層を選択する( ステップＳ１１) 。一例として、図３の「使用者Ａ」と「常時携帯」の層を選択したものとする。
【００５３】
次に、第１検出装置７２で所持品のＲＦＩＤ情報を読み取る（ステップＳ１２) 。すなわち、アンテナ１４を介して検出器１５により所持品のＲＦＩＤ情報が読み取られる。
【００５４】
次に、制御部２３により検出器１５で読み取ったＲＦＩＤ情報と記憶部１６に格納されたＲＦＩＤ情報とが比較される( ステップＳ１３) 。
【００５５】
次に、制御部２３により比較結果が表示器１７に表示され、必要に応じて警報器１８が駆動される( ステップＳ１４) 。
【００５６】
一例として、「常時携帯」の層の自宅の鍵、携帯電話、財布、クレジットカードの全てが検出された場合は、表示器１７のこれらに対応する「携／未」表示の「携」が一例として青色に点灯し、警報器１８から一例として連続音が発せられる。
【００５７】
一方、検出されない物品が存在する場合、すなわち忘れ物が存在する場合はその物品に対応する「携／未」表示の「未」が一例として赤色に点滅し、警報器１８から一例として断続音が発せられ、使用者に注意を喚起する。
【００５８】
次に、使用者は携帯端末７３を操作して第１検出装置７２内の記憶装置１６に格納されたＲＦＩＤ情報を自端末７３の第２検出装置７４内の記憶装置８２にコピーする( ステップＳ１５) 。
【００５９】
次に、ステップＳ１２〜Ｓ１４と同様の動作が以下実行される。まず、第２検出装置７４で所持品のＲＦＩＤ情報を読み取る（ステップＳ１６) 。すなわち、アンテナ１９を介して検出器２０により所持品のＲＦＩＤ情報が読み取られる。
【００６０】
次に、制御部８３により検出器２０で読み取ったＲＦＩＤ情報と記憶部８２にコピーされたＲＦＩＤ情報とが比較される( ステップＳ１７) 。
【００６１】
次に、制御部８３により比較結果が表示器２１に表示され、必要に応じて警報器２２が駆動される( ステップＳ１８) 。一例として、「常時携帯」の層の自宅の鍵、携帯電話、財布、クレジットカードの全てが検出された場合は、表示器２１のこれらに対応する「携／未」表示の「携」が一例として青色に点灯し、警報器２２から一例として連続音が発せられる。
【００６２】
一方、検出されない物品が存在する場合、すなわち忘れ物が存在する場合はその物品に対応する「携／未」表示の「未」が一例として赤色に点滅し、警報器２２から一例として断続音が発せられ、使用者に再度の注意を喚起する。
【００６３】
以上説明したように、第２実施例によれば、屋外においても携帯端末を利用して持ち物の再チェックを行うことが可能となる。なお、携帯端末の一例として携帯電話が挙げられる。
【実施例３】
【００６４】
図１１は第３実施例における携帯端末内の第２検出装置の構成図である。なお、同図において図９と同様の構成部分には同一番号を付し、その説明を省略する。同図を参照すると、第３実施例の第２検出装置８６と第２実施例の第２検出装置７４との相違点は、第３実施例の第２検出装置８６に新たに接続基地局変更検出部８７が設けられた点である。
【００６５】
接続基地局変更検出部８７は、送受信部８４およびアンテナ８５を介して基地局７９から得られる情報に基づき接続基地局の変更を検出する。接続基地局の変更は携帯端末７３の使用者が隣接するセルに移動した場合に発生する。
【００６６】
次に、第３実施例の動作について説明する。図１２は第３実施例の動作を示すフローチャートである。なお、同図において図１０の第２実施例のフローチャートと同様のステップには同一番号を付し、その説明を省略する。
【００６７】
第３実施例のフローチャートが第２実施例のフローチャートと相違する点は、第２実施例のフローチャートのステップＳ１４とステップＳ１５との間に、ステップＳ２１を挿入した点である。
【００６８】
ステップＳ１１からＳ１４までの屋内７１における第１検出装置７２での物品認識の処理が終了すると、携帯端末７３の第２検出装置８６において、接続基地局に変更があったか否かが判定される（ステップＳ２１）。
【００６９】
ステップＳ２１にて接続基地局に変更があった場合（ステップＳ２１にてＹＥＳの場合）、前述のステップＳ１５〜Ｓ１８が実行される。一方、ステップＳ２１にて接続基地局に変更がない場合（ステップＳ２１にてＮＯの場合）、待機となる。
【００７０】
以上説明したように、第３実施例によれば、携帯端末の使用者が接続基地局の変更があったことを契機に物品認識を自動的に行うため、必要な時間での物品のチェックを行うことが可能となり、また所定時間ごとに物品のチェックを行う構成ではないため、装置の消費電流の低減が可能となる。
【実施例４】
【００７１】
図１３は第４実施例における携帯端末内の第２検出装置の構成図である。なお、同図において図１１と同様の構成部分には同一番号を付し、その説明を省略する。同図を参照すると、第４実施例の第２検出装置９１が第３実施例の第２検出装置８６と相違する点は、第４実施例では接続基地局変更検出部８７の代わりに無線ＬＡＮ(local area network)圏内検出部９２を設けた点である。
【００７２】
第３実施例では接続基地局の変更を契機として携帯端末における物品認識を開始したが、第４実施例では携帯端末の使用者が無線ＬＡＮの圏内に入ったことあるいは圏外に出たことを契機として物品認識を開始する。
【００７３】
次に、第４実施例の動作について説明する。図１４は第４実施例の動作を示すフローチャートである。なお、同図において図１２の第３実施例のフローチャートと同様のステップには同一番号を付し、その説明を省略する。
【００７４】
第４実施例のフローチャートが第３実施例のフローチャートと相違する点は、第３実施例のステップＳ２１（接続基地局に変更があったか？）の代わりにステップＳ２２（無線ＬＡＮ圏内に入ったかあるいは出たか）を設けたことである。
【００７５】
ステップＳ１１からＳ１４までの屋内７１における第１検出装置７２での物品認識の処理が終了すると、携帯端末７３の第２検出装置９１において、無線ＬＡＮ圏内に入ったかあるいは出たかが判定される（ステップＳ２２）。
【００７６】
ステップＳ２２にて無線ＬＡＮ圏内に入ったかあるいは出た場合（ステップＳ２２にてＹＥＳの場合）、前述のステップＳ１５〜Ｓ１８が実行される。一方、ステップＳ２２にて無線ＬＡＮ圏内に入ったことも出たことも検出されない場合（ステップＳ２２にてＮＯの場合）、待機となる。
【００７７】
以上説明したように、第４実施例によれば、携帯端末の使用者が無線ＬＡＮ圏内に入ったかあるいは出たかを契機に物品認識を自動的に行うため、必要な時間での物品のチェックを行うことが可能となり、また所定時間ごとに物品のチェックを行う構成ではないため、装置の消費電流の低減が可能となる。
【実施例５】
【００７８】
図１５は第５実施例における携帯端末内の第２検出装置の構成図である。なお、同図において図１３と同様の構成部分には同一番号を付し、その説明を省略する。同図を参照すると、第５実施例の第２検出装置９３が第４実施例の第２検出装置９１と相違する点は、第５実施例では無線ＬＡＮ圏内検出部９２の代わりに加速度検出部９４を設けた点である。この加速度検出部９４は一例として歩数計の加速度検出部である。歩数計で加速度を検出するということは、使用者が歩き始めたことを検出したことになる。
【００７９】
第４実施例では携帯端末の使用者が無線ＬＡＮの圏内に入ったことあるいは圏外に出たことを契機として物品認識を開始したが、第５実施例では携帯端末が加速度を検出したことを契機として物品認識を開始する。
【００８０】
次に、第５実施例の動作について説明する。図１６は第５実施例の動作を示すフローチャートである。なお、同図において図１４の第４実施例のフローチャートと同様のステップには同一番号を付し、その説明を省略する。
【００８１】
第５実施例のフローチャートが第４実施例のフローチャートと相違する点は、第４実施例のステップＳ２２（無線ＬＡＮ圏内に入ったかあるいは出たか）の代わりにステップＳ２３（加速度を検出したか）を設けたことである。
【００８２】
ステップＳ１１からＳ１４までの屋内７１における第１検出装置７２での物品認識の処理が終了すると、携帯端末７３の第２検出装置９３において、加速度を検出したか否かが判定される（ステップＳ２３）。
【００８３】
ステップＳ２３にて加速度を検出した場合（ステップＳ２３にてＹＥＳの場合）、前述のステップＳ１５〜Ｓ１８が実行される。一方、ステップＳ２３にて加速度が検出されない場合（ステップＳ２３にてＮＯの場合）、待機となる。
【００８４】
以上説明したように、第５実施例によれば、携帯端末の使用者が歩き始めたことを契機に物品認識を自動的に行うため、必要な時間での物品のチェックを行うことが可能となり、また所定時間ごとに物品のチェックを行う構成ではないため、装置の消費電流の低減が可能となる。
【実施例６】
【００８５】
図１７は第６実施例の歩数計の一例の構成図、図１８は第６実施例の第２検出装置の一例の構成図である。
【００８６】
第５実施例では携帯端末７３内に歩数計を内蔵したが、第６実施例では携帯端末７３と歩数計とを別体とし、歩数計側にＲＦＩＤ情報の検出部を設け、携帯端末７３側にＲＦＩＤ情報の比較部と表示器と警報器とを設けている。
【００８７】
まず、歩数計の構成について説明する。図１７を参照すると、歩数計１０１は、アンテナ１０２と、検出器１０３と、表示器１０４、計数部１０５と、送受信部１０６と、制御部１０７と、アンテナ１０８とを含んで構成される。
【００８８】
アンテナ１０２を介して検出器１０３にて物品のＲＦＩＤ情報を検出する。計数部１０５は歩数を計数する。制御部１０７は計数部１０５が歩数の計数を開始する時期を監視する。また計数部１０５が計数した歩数を表示部１０４に表示する。さらに、制御部１０７は検出器１０３が検出したＲＦＩＤ情報をアンテナ１０８を介して携帯端末７３内の第２検出装置に送信する。
【００８９】
次に、携帯端末７３内の第２検出装置の構成について説明する。図１８を参照すると、第２検出装置１１１は、表示器１１２と、警報器１１３と、記憶部１１４と、制御部１１５と、アンテナ１１６および１１７とを含んでいる。
【００９０】
表示器１１２はＲＦＩＤ情報の比較結果を表示する。警報器１１３はＲＦＩＤ情報の比較結果を音声で報知する。制御部１１５はアンテナ１１６を介して屋内７１の第１検出装置７２内の記憶部１６（図７および図８参照）から得たＲＦＩＤ情報を記憶部１１４にコピーする。また、アンテナ１１７を介して歩数計１０１から得たＲＦＩＤ情報を記憶部１６内のＲＦＩＤ情報と比較し、比較結果を表示器１１２および警報器１１３に表示する。
【００９１】
なお、歩数計１０１と携帯端末７３内の第２検出装置１１１との通信は電波のほか赤外線でも可能である。
【００９２】
次に、第６実施例の動作について説明する。図１９は第６実施例の動作を示すフローチャートである。なお、ステップＳ１１からＳ１４までは第１実施例と同様であるため、同様の番号を付し、その説明を省略する。
【００９３】
ステップＳ１１〜Ｓ１４で屋内における物品認識を終了した後、歩数計１０１の制御部１０７は計数部１０５が計数を開始したか否かを判定する（ステップＳ２５）。計数部１０５が計数を開始すると（ステップＳ２５にてＹＥＳの場合）、
制御部１０７はアンテナ１０２および検出部１０３を介して物品のＲＦＩＤ情報を検出する（ステップＳ２６）。計数部１０５が計数を開始しない場合（ステップＳ２５にてＮＯの場合）、待機する。
【００９４】
ステップＳ２６に続き、携帯端末７３内の制御部１１５はアンテナ１１７を介して歩数計１０１が検出したＲＦＩＤ情報を受信する（ステップＳ２７）。
【００９５】
次に、携帯端末７３は屋内７１の第１検出装置７２内の記憶部１６に格納されたＲＦＩＤ情報を自端末７３の第２検出装置１１１内の記憶部１１４にコピーする( ステップＳ１５) 。
【００９６】
次に、第２検出装置１１１内の制御部１１５は記憶部１１４内のＲＦＩＤ情報と、歩数計１０１から得たＲＦＩＤ情報とを比較し（ステップＳ１７) 、比較結果を表示器１１２および警報器１１３に表示する（ステップＳ１８) 。
【００９７】
なお、ステップＳ２５で歩数の計数を開始した場合に、ステップＳ２６にてＲＦＩＤ情報を読み取る構成にしたが、さらに歩数の計数が継続する場合はＲＦＩＤ情報の読み取りを停止する、という処理を加えることも可能である。歩行中に何度もＲＦＩＤ情報の検出が繰り返され、歩数計の電池が消耗するのを防止するためである。
【００９８】
また、本実施例では歩数計側にＲＦＩＤ情報の検出部を設ける構成にしたが、ＲＦＩＤ情報の検出部と歩数計とを別個に設け、歩数計からは使用者の動きの情報のみを伝える構成も可能である。
【００９９】
以上説明したように、第６実施例によれば、歩数計が携帯端末と別個に設けられる場合にも、第５実施例と同様の効果が得られる。
【実施例７】
【０１００】
図２０は第７実施例の第１検出装置の構成図である。なお、図８と同様の構成部分には同一番号を付し、その説明を省略する。
【０１０１】
図２０を参照すると、第１検出装置１２１は層判定部１２２を有している点が図８の第１検出装置７２と相違している。層推定部１２２は検出部１５で検出されたＲＦＩＤ情報がどの層に属するものかを推定する。
【０１０２】
図３のＲＦＩＤ情報の層別一覧表を参照すると、各層にキーとし得る物品名が存在することが分かる。たとえば、「常時携帯」の自宅の鍵、「特殊の１（たとえば通勤）」の定期券、「特殊の２（たとえばドライブ）」の運転免許証、「特殊の３（たとえばスポーツクラブへの参加）」のスポーツクラブの会員証、などはその一つを検出しただけでも、だいたいどの層に属するかが推定できる。
【０１０３】
この特性を利用して制御部２３は検出部１５で検出されたＲＦＩＤ情報がどの層に属するものかを推定する。なお、キーとなる物品名は１個に限定するものではなく、複数用いることが可能である。キーの数が多いほど当たる確立が上昇するのは明白である。
【０１０４】
以上説明したように、第７実施例によれば、使用者が層の選択をする手間が省けるという効果がある。
【実施例８】
【０１０５】
他人が物品のＲＦＩＤ情報を特別な方法で読み取ることが考えられる。このような個人情報の漏洩を防止（個人情報保護）する技術を本実施例は提供する。
【０１０６】
本発明におけるＲＦＩＤ情報は単なる数字または英字等の組み合わせで構成し、物品の名称等の情報は含まないものとする。これにより、たとえば、鞄の中の
ＲＦＩＤ情報を他人に読み取られても、単なる数字または英字等の組み合わせであるため、中身を探られることはなく、個人情報の保護が可能となる。
【０１０７】
本発明は、さらに個人情報の保護を強化する方法を提供する。図２１はＲＦＩＤ情報の利用方法の一例を示す説明図である。
【０１０８】
同図を参照すると、ＲＦＩＤの中にある数字（英字等他の文字を含んでもよい）の全てではなく一部のみをＲＦＩＤ情報として利用する方法が示されている。このようにすることにより、表示された情報は他人には単なる数字の羅列でしかなく、個人情報の漏洩を防止（個人情報保護）することができる。
【０１０９】
同図を参照すると、その方法の３つの例が示されている。第１の方法は、ＲＦＩＤ情報全体の一部、たとえば１０桁中の下４桁を利用するものである。すなわち、ＲＦＩＤ情報が“１２３４６５９８７０”の場合は“９８７０”、“１２３４６７９８７２”の場合は“９８７２”、“１２３４７６９８７５”の場合は“９８７５”、“１２３４７８９８８９”の場合は“９８８９”を利用する。
【０１１０】
第２の方法は、中間の４桁、たとえば上２桁と下４桁を無視するものである。すなわち、ＲＦＩＤ情報が“１２３４６５９８７０”の場合は“３４６５”、“１２３４６７９８７２”の場合は“３４６７”、“１２３４７６９８７５”の場合は“３４７６”、“１２３４７８９８８９”の場合は“３４７８”を利用する。
【０１１１】
第３の方法は、飛び飛びの２桁、たとえば上から２桁、３桁、６桁、７桁目を利用するものである。すなわち、ＲＦＩＤ情報が“１２３４６５９８７０”の場合は“２３５９”、“１２３４６７９８７２”の場合は“２３７９”、“１２３４７６９８７５”の場合は“２３６９”、“１２３４７８９８８９”の場合は“２３８９”を利用する。
【０１１２】
また、これら４桁の情報をそのまま利用するのではなく、たとえば１０桁の情報のうちの４桁として用いることも可能である。この場合、４桁の情報以外のブランクの桁には乱数あるいは特定の数を入れておき、一見してその数字の並びに意味がありそうなものを生成しておくのである。
【０１１３】
以上説明したように、第８実施例によれば、ＲＦＩＤ情報の一部を比較対象として利用することにより、個人情報の漏洩を防止することが可能となる。
【実施例９】
【０１１４】
図１に示す検出器１５，２０は一定範囲内に存在するＲＦＩＤ情報を電波を用いて検出するものである。したがって、使用者が身に着けている物品のみならず、使用者の近辺に存在するものまで検出してしまうおそれがある。これを防止するのが本実施例である。
【０１１５】
図８および図９を参照すると、第１および第２検出装置７２，７４の一例はそれぞれ記憶部１６、８２を有している。そして、第１検出装置７２の記憶部１６にはＲＦＩＤ情報が格納されており、第２検出装置７４の記憶部８２にはＲＦＩＤ情報のコピーが格納されていると記述した。
【０１１６】
本実施例では、それらに加え、第１検出装置７２の記憶部１６には第１の場所で検出したＲＦＩＤ情報を格納し、第２検出装置７４の記憶部８２には第２の場所で検出したＲＦＩＤ情報を格納する。そして、第２検出装置７４の制御部８３はアンテナ８５および送受信部８４を介して第１検出装置７２の記憶部１６に格納されたそのＲＦＩＤ情報を受け取り、自装置７４内の記憶部８２に格納されたＲＦＩＤ情報と比較する。
【０１１７】
その比較の結果、両方のＲＦＩＤ情報が一致すれば、検出されたＲＦＩＤ情報は使用者が身に着けていた物品のものと推定することができる。一方、第１検出装置７２で検出されているにもかかわらず第２検出装置７４で検出されないＲＦＩＤ情報の物品は、使用者が身に着けていなかったものと推定することができる。
【０１１８】
以上説明したように、第９実施例によれば、第１検出装置７２および第２検出装置７４で検出したＲＦＩＤ情報同士を比較することにより、第１検出装置７２で検出したＲＦＩＤ情報が使用者が見に付けていた物品のＲＦＩＤ情報か否かの判定を行うことが可能となる。
【図面の簡単な説明】
【０１１９】
【図１】本発明に係る物品認識システムの第１実施例の構成図である。
【図２】表示器１７，２１の表示内容の一例を示す図である。
【図３】記憶部１６に格納されるＲＦＩＤ情報の一例を示す図である。
【図４】同一屋内の２箇所に検出装置を設ける場合の一例の構成図である。
【図５】同一屋内の２箇所に検出装置を設ける場合の他の例の構成図である。
【図６】第１実施例の動作を示すフローチャートである。
【図７】本発明の第２実施例の構成図である。
【図８】第１検出装置の一例の構成図である。
【図９】第２検出装置の一例の構成図である。
【図１０】第２実施例の動作を示すフローチャートである。
【図１１】第３実施例における携帯端末内の第２検出装置の構成図である。
【図１２】第３実施例の動作を示すフローチャートである。
【図１３】第４実施例における携帯端末内の第２検出装置の構成図である。
【図１４】第４実施例の動作を示すフローチャートである。
【図１５】第５実施例における携帯端末内の第２検出装置の構成図である。
【図１６】第５実施例の動作を示すフローチャートである。
【図１７】第６実施例の歩数計の一例の構成図である。
【図１８】第６実施例の第２検出装置の一例の構成図である。
【図１９】第６実施例の動作を示すフローチャートである。
【図２０】第７実施例の第１検出装置の構成図である。
【図２１】ＲＦＩＤ情報の利用方法の一例を示す説明図である。
【符号の説明】
【０１２０】
１  物品認識システム
１１  認識札（ＲＦＩＤ情報）
１５，２０，１０３  検出器
１６，８２，１１４  記憶部
２３，８３，１０７，１１５  制御部
５１  家屋
５３，６３，７２，１２１  第１検出装置
５５，６５，７４，８６  第２検出装置
６１  会社
７１  屋内
７３  携帯端末
８１，８４，１０６  送受信部
８７  接続基地局変更検出部
９１，９３，１１１  第２検出装置
９２  無線ＬＡＮ圏内検出部
９４  加速度検出部
１０１  歩数計
１０３  検出器
１０５  計数部
１２２  層推定部
【図１】
2006092051.tif 000003
【図２】
2006092051.tif 000004
【図３】
2006092051.tif 000005
【図４】
2006092051.tif 000006
【図５】
2006092051.tif 000007
【図６】
2006092051.tif 000008
【図７】
2006092051.tif 000009
【図８】
2006092051.tif 000010
【図９】
2006092051.tif 000011
【図１０】
2006092051.tif 000012
【図１１】
2006092051.tif 000013
【図１２】
2006092051.tif 000014
【図１３】
2006092051.tif 000015
【図１４】
2006092051.tif 000016
【図１５】
2006092051.tif 000017
【図１６】
2006092051.tif 000018
【図１７】
2006092051.tif 000019
【図１８】
2006092051.tif 000020
【図１９】
2006092051.tif 000021
【図２０】
2006092051.tif 000022
【図２１】
2006092051.tif 000023